(57)【要約】【課題】カップスリーブとなるその構成体を、取り扱い容易で、且つ、製造容易な態様で、提供できるようにする。【解決手段】平面状をなすと共に、上辺１と下辺２と左右側辺とを備え、しかも、前記上辺１と下辺２との間に左右方向に沿ったスリット９を備えてなる。左側の側辺３と右側の側辺４とを近づける向きに前記スリット９の下側部分１１を一方側に湾曲させた状態において、前記スリット９の上側部分１０を他方側に湾曲させて、この下側部分１１と上側部分１０とによりスリーブ状体Ｓ’を形成するようになっていると共に、前記スリーブ状体Ｓ’における内径が、保持すべき飲料カップＣの最大径よりも小さくなっている。【選択図】図２
2014223233.tif 000002
【特許請求の範囲】
【請求項１】
平面状をなすと共に、上辺と下辺と左右側辺とを備え、しかも、前記上辺と下辺との間に左右方向に沿ったスリットを備えてなり、
左側の側辺と右側の側辺とを近づける向きに前記スリットの下側部分を湾曲させた状態において、前記スリットの上側部分を前記下側部分と反対の側を湾曲外側とするように湾曲させて、この下側部分と上側部分とによりスリーブ状体を形成するようになっていると共に、
前記スリーブ状体における内径が、保持すべき飲料カップの最大径よりも小さくなっていることを特徴とするカップスリーブ構成体。
【請求項２】
スリットの左端及び右端の双方又はいずれか一方に続いて、ミシン目が形成されていることを特徴とする請求項１に記載のカップスリーブ構成体。
【請求項３】
上辺は、上側部分の中央側からこの上側部分の端部に近づくに連れてこの上側部分の上下寸法を漸減させるように形成されていることを特徴とする請求項１又は請求項２に記載のカップスリーブ構成体。
【発明の詳細な説明】
【技術分野】
【０００１】
この発明は、立体化されてカップスリーブとなるその構成体に関する。
【背景技術】
【０００２】
コーヒーなどの飲料の提供にあたり飲料カップが汎用されている。かかる飲料カップは典型的には紙製であり、それ自体の断熱性は低い。このため、飲料カップ内の飲料が熱い場合、あるいは、冷たい場合、飲料カップは手で持ち難くなる。こうしたことから、飲料カップの外側に巻き付けるようにしてその内側に飲料カップを保持するカップスリーブが利用されている。かかるカップスリーブは、典型的には、厚手の紙製である。かかるカップスリーブのもっとも典型的なものは、帯状にした厚手の紙の両端を止め合わせて内径を飲料カップの最大径よりも小さくした筒状の態様ものである。
【発明の概要】
【発明が解決しようとする課題】
【０００３】
この発明が解決しようとする主たる問題点は、この種のカップスリーブとなるその構成体を、取り扱い容易で、且つ、製造容易な態様で、提供できるようにする点にある。
【課題を解決するための手段】
【０００４】
前記課題を達成するために、この発明にあっては、カップスリーブ構成体を、平面状をなすと共に、上辺と下辺と左右側辺とを備え、しかも、前記上辺と下辺との間に左右方向に沿ったスリットを備えてなり、
左側の側辺と右側の側辺とを近づける向きに前記スリットの下側部分を湾曲させた状態において、前記スリットの上側部分を前記下側部分と反対の側を湾曲外側とするように湾曲させて、この下側部分と上側部分とによりスリーブ状体を形成するようになっていると共に、
前記スリーブ状体における内径が、保持すべき飲料カップの最大径よりも小さくなっているものとした。
【０００５】
典型的には、前記下側部分の左端に親指を、右端に人差し指を当てた状態から両指の指先間の間隔を狭めるようにすると上側部分共々下側部分を前記のように湾曲させることができる。そして、このように下側部分を湾曲させた状態から上側部分の中央を摘んで下側部分から離れる向きに引っ張ることで上側部分を前記のように湾曲させることができる。そして、前記のように湾曲された上側部分によって前記スリーブ状体の側部の一部を構成し、前記のように湾曲された下側部分によって前記スリーブ状体の側部の残りの部分を構成させることができる。このように構成されたスリーブ状体の内側に上方よりカップ底部を先にして入れ込まれた飲料カップは、このスリーブ状体内から下方に抜け出すことがなく、かかるスリーブ状体に保持される。これにより、前記スリーブ状体を介して間接的に飲料カップを把持することが可能とされる。
【０００６】
前記スリットの左端及び右端の双方又はいずれか一方に続いて、ミシン目を形成させておくこともある。このようにした場合、前記ミシン目を構成するつなぎ目を破断させることで実質的に前記スリットを延長させることができ、これによって前記のように構成されるスリーブ状体の内径を一定の範囲で拡大させることができる。したがって、単一のカップスリーブ構成体を、外径を異にする複数の飲料カップの保持に利用可能なものとすることができる。
【０００７】
前記上辺を、上側部分の中央側からこの上側部分の端部に近づくに連れてこの上側部分の上下寸法を漸減させるように形成させておくこともある。このようにした場合、上側部分と下側部分の連接箇所の上方において飲料カップの開口の開口縁に唇を付けて飲料カップ内の飲料を飲むときにこの唇が上側部分に触れることがないようにすることができる。
【発明の効果】
【０００８】
この発明にかかるカップスリーブ構成体は、一枚の平面体にスリットを設けさせなることから、打ち抜き加工により容易に生成でき、したがってまた、低廉に供給することができる。
【０００９】
また、この発明にかかるカップスリーブ構成体は、利用時に立体化されてスリーブ状体となることから、利用時までの保管などが取り扱いが容易であり、また、立体化する操作も容易である。
【図面の簡単な説明】
【００１０】
【図１】図１はこの発明の一実施の形態にかかるカップスリーブ構成体（第一例）の正面図である。
【図２】図２は前記第一例のカップスリーブ構成体から形成されるスリーブ状体（カップスリーブ）と飲料カップとを分離した状態で示した斜視図である。
【図３】図３は図２のスリーブ状体の平面図である。
【図４】図４は前記第一例のカップスリーブ構成体から形成されるスリーブ状体（カップスリーブ）に飲料カップを保持させた状態を示した斜視図である。
【図５】図５はこの発明の一実施の形態にかかるカップスリーブ構成体（第二例）の正面図である。
【図６】図６はこの発明の一実施の形態にかかるカップスリーブ構成体（第三例）の正面図である。
【図７】図７はこの発明の一実施の形態にかかるカップスリーブ構成体（第四例）の正面図である。
【発明を実施するための形態】
【００１１】
以下、図１〜図７に基づいて、この発明の典型的な実施の形態について、説明する。図１〜図４はかかる実施の形態の第一例を、図５はかかる実施の形態の第二例を、図６はかかる実施の形態の第三例を、図７はかかる実施の形態の第四例を、それぞれ示している。この実施の形態にかかるカップスリーブ構成体Ｓは、平面状をなすと共に、利用に際しては立体的なスリーブ状体Ｓ’にできるものであり、このスリーブ状体Ｓ’にした状態でその内側にカップ底部Ｃａ側から納められた飲料カップＣを保持するものである。すなわち、かかるカップスリーブ構成体Ｓは、前記スリーブ状体Ｓ’にされた状態において、保持される飲料カップＣ内の飲料の熱が直接この飲料カップＣを持つ人の手に伝わらないように、あるいは、かかる飲料が冷たい場合にはこの飲料カップＣを持つ人の手が冷えないようにするために用いられるカップスリーブを構成するものである。
【００１２】
かかるカップスリーブ構成体Ｓは、典型的には、シート状体又はマット状体から構成される。また、かかるカップスリーブ構成体Ｓは、典型的には、被加工材としてのシート状体又はマット状体に対する打ち抜き加工により生成される。前記被加工材としては、カップスリーブに求められる断熱性及び剛性を備えたシート状体又はマット状体、典型的には、段ボール、厚紙、プラスチックシートなどがあげられる。図示の例では、カップスリーブ構成体Ｓは、片面段ボールから構成されている。
【００１３】
かかるカップスリーブ構成体Ｓは、上辺１と下辺２と左右側辺３、４とを備えている。図示の例では、カップスリーブ構成体Ｓは、長さと幅とを持ったシート状体となっている。図示の例では、上辺１と下辺２が長く、左右側辺３、４はこれより短く、これによりカップスリーブ構成体Ｓは長さと幅とを持つようになっている。
【００１４】
図示の例では、上辺１と左側の側辺３との間の左上隅部５、上辺１と右側の側辺４との間の右上隅部６、下辺２と左側の側辺３との間の左下隅部７、下辺２と右側の側辺４との間の右下隅部８はぞれぞれ、アール状の輪郭を持つように形成されている。
【００１５】
下辺２は、上側を湾曲外側とした緩やかな弧状に成形されている。上辺１は、その中央側に頂部を持った山状の輪郭を持った山状部分１ａと、この山状部分１ａの裾から左上隅部５に向けて斜め上がりに続く左傾斜部分１ｄと、前記山状部分１ａの裾から右上隅部６に向けて斜め上がりに続く右傾斜部分１ｅとを備えている。
【００１６】
前記上辺１と下辺２との間に左右方向に沿ったスリット９が形成されている。図示の例では、かかるスリット９は、下辺２に倣って、上側を湾曲外側とした緩やかな弧状に成形されている。かかるスリット９と上辺１との間の距離は、かかるスリット９と下辺２との間の距離より小さく、カップスリーブ構成体Ｓはかかるスリット９により幅狭帯状の上側部分１０と、幅広帯状の下側部分１１に区分されている。図示の例では、かかるスリット９の左端は前記山状部分１ａの裾を通る仮想の上下方向に沿った直線ｘ上に略位置し、また、かかるスリット９の右端は前記山状部分１ａの裾を通る仮想の上下方向に沿った直線ｘ’上に略位置している。（図１）したがって、前記上側部分１０と下側部分１１とは、前記スリット９の左端と左側の側辺３との間、及び、前記スリット９の右端と右側の側辺４との間において連接されている。
【００１７】
そして、以上の構成を備えたカップスリーブ構成体Ｓは、左側の側辺３と右側の側辺４とを近づける向きに前記スリット９の下側部分１１を湾曲させた状態において、前記スリット９の上側部分１０を前記下側部分１１と反対の側を湾曲外側とするように湾曲させて、この下側部分１１と上側部分１０とによりスリーブ状体Ｓ’を形成するように、つまり、立体化されるようになっている。（図２）
【００１８】
典型的には、下側部分１１の左端に親指を、右端に人差し指を当てた状態から両指の指先間の間隔を狭めるようにすると下側部分１１は上側部分１０共々前記のように湾曲される。そして、このように下側部分１１を湾曲させた状態から上側部分１０の中央を摘んで下側部分１１から離れる向きに引っ張ると上側部分１０は前記仮想の上下方向に沿った直線ｘ、ｘ’上に位置される箇所を略屈曲させながら前記のように湾曲される。そして、前記のように湾曲された上側部分１０によって前記スリーブ状体Ｓ’の側部の概ね半分が構成され、前記のように湾曲された下側部分１１によって前記スリーブ状体Ｓ’の側部の残りの部分が構成されるようになっている。（図２〜図４）図示の例では、カップスリーブ構成体Ｓを構成する片面段ボールは、その中芯の波形は上下方向に山筋と谷筋とを沿わせるようになっており、これによりカップスリーブ構成体Ｓは前記のような湾曲を生じさせ易いようになっている。
【００１９】
このように構成されるスリーブ状体Ｓ’における内径は、保持すべき飲料カップＣの最大径よりも小さくなっている。すなわち、もっとも汎用されている飲料カップＣは、カップ底部Ｃａ側から開口Ｃｂ側に向かうに連れて外径を漸増させる有底筒状を呈しているが、（図３において符号Ｃａ’は飲料カップＣのカップ底部Ｃａの輪郭を、符号Ｃｂ’は開口Ｃｂの輪郭を示している。）前記のように構成されるスリーブ状体Ｓ’における内径は、保持すべき飲料カップＣの最小径よりも大きく且つ最大径よりも小さくなっている。（図３）
【００２０】
これにより、前記のように構成されたスリーブ状体Ｓ’の内側に上方よりカップ底部Ｃａを先にして入れ込まれた飲料カップＣは、このスリーブ状体Ｓ’内から下方に抜け出すことがなく、かかるスリーブ状体Ｓ’に保持される。これにより、スリーブ状体Ｓ’を介して間接的に飲料カップＣを把持することが可能とされる。図示の例では、前記スリーブ状体Ｓ’に飲料カップＣを入れ込みきった状態においては、上側部分１０と飲料カップＣの開口Ｃｂとの間に一定の間隔が形成されるようにしてある。（図４）
【００２１】
この実施の形態にあっては、カップスリーブ構成体Ｓの上辺１は、前記のように山状部分１ａと、左傾斜部分１ｄと、右傾斜部分１ｅとを備えている。これにより、カップスリーブ構成体Ｓの上辺１は、上側部分１０の中央側からこの上側部分１０の端部に近づくに連れてこの上側部分１０の上下寸法を漸減させるように形成されている。これにより、この実施の形態にあっては、上側部分１０と下側部分１１の連接箇所の上方において飲料カップＣの開口Ｃｂの開口縁に唇を付けて飲料カップＣ内の飲料を飲むときにこの唇が上側部分１０に触れることがないようにしてある。なお、図示の例では、前記のようにスリーブ状体Ｓ’を構成させたときに、カップスリーブ構成体Ｓの左上隅部５は上側部分１０の左側の端部の外側に位置すると共に、前記山状部分１ａの左側の裾側縁部１ｂは左傾斜部分１ｄに略重なるようになっている。（図２）また、前記のようにスリーブ状体Ｓ’を構成させたときに、カップスリーブ構成体Ｓの右上隅部６は上側部分１０の右側の端部の外側に位置すると共に、前記山状部分１ａの右側の裾側縁部１ｃは右傾斜部分１ｅに略重なるようになっている。（図２）
【００２２】
図５に示される第二例にあっては、カップスリーブ構成体Ｓには、前記スリット９の左端及び右端の双方に続いて、切れ目１２ａとつなぎ目１２ｂを交互に設けることによりなるミシン目１２が形成されている。図示の例では、前記スリット９の左端と左側の側辺３との間に、スリット９の左端に連続するように且つ前記左側の側辺３に至らない長さで、左側のミシン目１２が形成されている。それと共に、前記スリット９の右端と右側の側辺４との間に、スリット９の右端に連続するように且つ前記右側の側辺４に至らない長さで、右側のミシン目１２が形成されている。このようにした場合、このミシン目１２を構成するつなぎ目１２ｂを破断させることで実質的に前記スリット９を延長させることができ、これによって前記のように構成されるスリーブ状体Ｓ’の内径を一定の範囲で拡大させることができる。したがって、単一のカップスリーブ構成体Ｓを、外径を異にする複数の飲料カップＣの保持に利用可能なものとすることができる。図示は省略するが、このようなミシン目１２は、カップスリーブ構成体Ｓにおける前記スリット９の左端及び右端のいずれか一方に続いて設けておいても良い。
【００２３】
図６に示される第三例にあっては、カップスリーブ構成体Ｓには、前記左側の側辺３とスリット９の左端と間、および、前記右側の側辺４とスリット９の右端と間にそれぞれ、押罫１３が施されている。この第三例では、かかる押罫１３はカップスリーブ構成体Ｓの左右においてそれぞれ、上下方向に沿って延び、かつ、隣り合う押罫１３との間に左右方向に間隔を開けて三条設けられている。かかる押罫１３は下側部分１１の前記湾曲操作及びその後のスリーブ状体Ｓ’の把持にあたっての滑り止めとして機能する。また、この第三例では、スリット９の左端に続いてミシン目１２が形成されている。また、この第三例では、スリット９の左端の上方、ミシン目１２の左端の上方及び右端の上方に上下方向に沿った押罫１４が設けられており、下側部分１１の湾曲後ミシン目１２を破断させないで上側部分１０を湾曲させる際、及び、下側部分１１の湾曲後ミシン目１２を破断させて上側部分１０を湾曲させる際にそれぞれ、前記押罫１４を屈曲中心とした屈曲が生じやすいようになっている。なお、この第三例では、カップスリーブ構成体Ｓの上辺１は前記第一例及び第二例のように左傾斜部分１ｄ及び右傾斜部分１ｅを有しておらず、山状部分１ａの裾と左上隅部７及び右上隅部８との間は左右方向に沿った水平部分１ｆとなっている。
【００２４】
図７に示される第四例にあっては、カップスリーブ構成体Ｓには、前記左側の側辺３とスリット９の左端と間、および、前記右側の側辺４とスリット９の右端と間にそれぞれ、押罫１３が施されている。この第四例では、かかる押罫１３はカップスリーブ構成体Ｓの左右においてそれぞれ、左右方向に沿って延び、かつ、隣り合う押罫１３との間に上下方向に間隔を開けて六条設けられている。かかる押罫１３は下側部分１１の前記湾曲操作及びその後のスリーブ状体Ｓ’の把持にあたっての滑り止めとして機能する。また、この第四例では、スリット９の左端に続いてミシン目１２が形成されている。また、この第四例では、スリット９の左端の上方、ミシン目１２の左端の上方及び右端の上方に上下方向に沿った押罫１４が設けられており、下側部分１１の湾曲後ミシン目１２を破断させないで上側部分１０を湾曲させる際、及び、下側部分１１の湾曲後ミシン目１２を破断させて上側部分１０を湾曲させる際にそれぞれ、前記押罫１４を屈曲中心とした屈曲が生じやすいようになっている。なお、この第四例では、カップスリーブ構成体Ｓの上辺１は前記第一例及び第二例のように左傾斜部分１ｄ及び右傾斜部分１ｅを有しておらず、山状部分１ａの裾と左上隅部５及び右上隅部８との間は左右方向に沿った水平部分１ｆとなっている。
【符号の説明】
【００２５】
１  上辺
２  下辺
３  左側の側辺
４  右側の側辺
９  スリット
１０  上側部分
１１  下側部分
Ｓ’  スリーブ状体
【図１】
2014223233.tif 000003
【図２】
2014223233.tif 000004
【図３】
2014223233.tif 000005
【図４】
2014223233.tif 000006
【図５】
2014223233.tif 000007
【図６】
2014223233.tif 000008
【図７】
2014223233.tif 000009